(57)【要約】【課題】  メディア交換を容易に行うことのできるプレーヤを備えた便器装置を提供する。【解決手段】  便器本体の後部上面に取り付けられて、便座及び／又は便蓋を回動可能に支持すると共に、外部から供給された電力により作動する機能ユニットを収納した収納ケースを備えた便器装置において、この収納ケースには外部から挿入されたメディアから音データをピックアップ可能なプレーヤを備え、前記便器本体の後部上面よりも上方で且つ側方の空間から、前記メディアを前記プレーヤへ挿入可能であることを特徴とする。【選択図】  図１
2005098002.tif 000002
【特許請求の範囲】
【請求項１】
便器本体の後部上面に取り付けられて、便座及び／又は便蓋を回動可能に支持すると共に、外部から供給された電力により作動する機能ユニットを収納した収納ケースを備えた便器装置において、
この収納ケースには外部から挿入されたメディアから音データをピックアップ可能なプレーヤを備え、前記便器本体の後部上面よりも上方で且つ側方の空間から、前記メディアを前記プレーヤへ挿入可能であることを特徴とする便器装置。
【請求項２】
前記プレーヤーは、ヒンジを軸にして便器本体の側方へ回動することにより開閉される蓋体を設け、この蓋体が開蓋した状態において、メディアを略縦状態にしてプレーヤーに挿入して装着可能であることを特徴とする、請求項１記載の便器装置。
【請求項３】
前記プレーヤは、前記便器装置が載置されている便器本体後部よりも側方に突出した位置に配置されていることを特徴とする請求項１または２記載の便器装置。
【請求項４】
前記プレーヤは、便器本体に載置される便器装置の底面よりも上方に配置されていることを特徴とする請求項３記載の便器装置。
【請求項５】
前記プレーヤは、前記収納ケースに対して着脱可能であり、その筐体に設けられているコネクト孔を通じて機能ユニットとプレーヤとの電力供給と信号伝達とが可能であることを特徴とする請求項３又は４に記載の便器装置。
【請求項６】
前記プレーヤは、便器本体後部よりも側方に突出している上面又は前面に、操作スイッチ又は表示部を備えたことを特徴とする、請求項３乃至５いずれか一項記載の便器装置。
【請求項７】
前記プレーヤは、蓋体が閉蓋した際に押し潰される防水パッキンを備えていることを特徴とする、請求項２項記載の便器装置。
【請求項８】
前記蓋体が閉蓋時に前記防水パッキンを押し潰した状態に蓋体を保持するロック機構を有すると共に、このロック機構の解除時に前記蓋体を所定角度開方向に緩やかに移動させるダンパ手段を有することを特徴とする請求項７記載の便器装置。
【請求項９】
前記便器装置において、音データを出力するためのスピーカーが機能部ケーシングに設けられていることを特徴とする、請求項１乃至８何れか一項記載の便器装置。
【発明の詳細な説明】
【技術分野】
【０００１】
本発明は、便器に固定されて使用される便器装置に係り、詳しくは、挿入されたメディアから音データをピックアップ可能なプレーヤを備え、トイレルームの使用者の快適性向上に寄与する便器装置に関する発明である。
【背景技術】
【０００２】
従来の便器本体の後部上面に取付けられて使用される便器装置としては、その収納ケーシング内に洗浄ノズルを備え、温水を人体局部へ吐水して洗浄を行う温水洗浄装置が知られている。この温水洗浄装置においては、外部から供給された電力により洗浄水を加熱して温水化したり、洗浄ノズルの制御が行われ、トイレルームの使用者に快適感を与えている。
また、温水洗浄装置以外にも、便座を加熱する暖房便座装置や、便器ボール内の臭気を消すための脱臭便座装置や、便座，便蓋の開閉を電動モータにて行う便座・便蓋開閉装置が実用化されている。
【０００３】
一方、使用者の快適性向上のために、音に着目したものがある。（例えば、特許文献１参照。）
この特許文献１の便器装置においては、便器本体の後部に音響発生装置を備え、使用中の音を撹乱することが提案されている。
【特許文献１】実開平０２−１０９８７８号公報（第１頁、第１，２図）
【発明の開示】
【発明が解決しようとする課題】
【０００４】
しかし、特許文献１においては、音データとしては使用時の用便音を紛らわせればよく、その音データを使用者の好みに応じて変更することを考えてはおらず、そのため、音データを記録しているメディアであるＣＤやカセットの交換については考慮されてはいない。
【０００５】
また、トイレ室内に市販のＣＤプレーヤやＭＤプレーヤを設置しておくことも考えられ、その場合、トイレ室内の床面、または、トイレ室内に設けられた棚上にＣＤプレーヤやＭＤプレーヤを置くことになるが、何れにしても、電源コードの配置等を考えると設置が面倒であり、また、便器装置の使用時に邪魔にならない位置に設置せざるを得ないが故に、ＣＤやＭＤといったメディアの交換操作がし辛いものである。
【０００６】
本発明は、上記問題を解決するためになされたもので、本発明の課題は、メディア交換を容易に行うことのできるプレーヤを備えた便器装置を提供することである。
【課題を解決するための手段】
【０００７】
上記目的を達成するために本発明においては、便器本体の後部上面に取り付けられて、便座及び／又は便蓋を回動可能に支持すると共に、外部から供給された電力により作動する機能ユニットを収納した収納ケースを備えた便器装置において、この収納ケースには外部から挿入されたメディアから音データをピックアップ可能なプレーヤを備え、前記便器本体の後部上面よりも上方で且つ側方の空間から、前記メディアを前記プレーヤへ挿入可能であることを特徴とする。なお、ここでの音データとは、音楽、音声、効果音等を指すものとする。
【０００８】
このように、メディアのプレーヤへの挿入作業時に、便器本体の後部上面よりも側方の空間から挿入可能であるので便座や便蓋が開蓋（起立）していても邪魔にならず、また、便器本体の後部上面よりも上方から挿入可能であるため腰を屈めなくても楽な体勢でメディアの着脱を行うことができる。しかも、メディア挿入空間が便器本体の上面よりも上方であるため、便器本体の使用時や清掃時の飛散水が掛かかり難く、プレーヤ内へ水侵入して故障発生することを防ぐこともできる。
【０００９】
また、前記プレーヤは、ヒンジを軸にして便器本体の側方へ向けて回動することにより開閉される蓋体を設け、この蓋体が開蓋した状態において、メディアを略縦状態にしてプレーヤに挿入して装着可能とすれば、この便器装置を設置しているトイレルーム壁面と便器装置側方との空間が狭く、メディアを横にできない場合であってもメディアの交換を行うことが可能となる。
なお、メディアが略縦状態であるとは、所定厚みの板状体であるメディアの表面積の大きな板状面（ＣＤで言えば円形面）が床面と略垂直である状態を指す。
【００１０】
また、前記プレーヤは、前記便器装置が載置されている便器本体後部よりも側方に突出した位置に配置されているようにすれば、便座や便蓋が開蓋（起立）していてもメディア挿入口が隠れることがなく、メディア交換作業が一層容易となる。
【００１１】
また、前記プレーヤは、便器本体に載置される便器装置の底面よ上方に配置されているようにすれば、メンテナンス作業などで便器装置本体を便器本体から取り外して床置きした場合であっても、その自重による荷重が便器装置全体で分散されるため、プレーヤ底面に荷重がかかって破損してしまうことがない。
【００１２】
前記プレーヤは、蓋体が閉蓋した際に押し潰される防水パッキンを備えていれば、プレーヤ内部の水侵入を防止して、プレーヤの故障発生を防ぐことができる。
【００１３】
しかも、前記蓋体が閉蓋時に前記防水パッキンを押し潰した状態に蓋体を保持するロック機構を有すると共に、このロック機構の解除時に前記蓋体を所定角度開方向に緩やかに移動させるダンパ手段を有するものとすれば、ロック機構解除後に押し潰されていた防水パッキンの反発力によって蓋体が威勢良く開くことが防止され、これにより蓋体が所定角度で開動作から閉動作に反転して再び閉状態になることを予防でき、メディア交換作業を妨げることがない。
【００１４】
また、前記便器装置において、音データを出力するためのスピーカーが機能部ケーシングに設けられているものとすれば、スピーカー迄の配線も収納ケース内部に収納することができ、見栄え良く、かつ、施工も簡単となる。
【発明の効果】
【００１５】
以上述べてきた構成により、便器に固定されて使用される便器装置であって、挿入されたメディアから音データをピックアップ可能なプレーヤを備えた便器装置において、メディア交換を容易に行うことのでき、かつトイレルームの使用者の快適性向上に寄与する便器装置を提供することが可能となる。
【発明を実施するための最良の形態】
【００１６】
続いて、添付した図面を参照しつつ、本発明を具体化した実施の形態につき説明し、本発明の理解に供する。
ここに、図１は本発明の第１の実施の形態に係わる便器装置の説明図であり、図２はこの第１の実施の形態に係る便器装置の内部の説明図である。また、図３、図４はそれぞれ本発明の第２、第３の実施の形態に係る便器装置の説明図である。
【００１７】
図１に示すように、本発明の第２の実施の形態に係る便器装置５５は、便器５６に付設された便座装置及びそのリモコン装置５７を備えたトイレ室５８に適用するものであり、便座装置の収納ケース５９の外側壁に、記録媒体６０に録音された音信号を含む電気信号を取り出し増幅するプレーヤ６１が設けられたシステムである。なお、プレーヤ６１及び記録媒体６０の種類は、カセットテープ，ＣＤ，ＭＤ，ＤＶＤなどを用いることができる。
【００１８】
便座装置の収納ケース５９内には、受信機及びスピーカーがそれぞれ設けられている。また、収納ケース５９の他側側壁には、スピーカーから再生された音を収納ケース５９の外部に出すための多数の開口部を備えたカバー６２が設けられている。なお、プレーヤ６１は、プレーヤ６１が接続された電源コードを、トイレ室５８内に設けられた１００Ｖ電源（図示せず）に差し込み動作させることも、また便座装置の電源と共用にすることも可能である。
【００１９】
ここで、図２を参照しながら、便器装置５５による音楽の出力方法について説明する。
プレーヤ６１に、音楽が録音された記録媒体６０（メディア）である音楽ソフト６５をセットする。
便座装置を操作するためのリモコン装置５７または音楽用リモコン装置６４を操作することで、収納ケース５９に設けられたリモコン受光部６３が電気信号を受信し、収納ケース５９内のメインコントローラ６６がプレーヤ６１のオンオフ制御（音楽のスタート及びストップ制御）等を行う。
なお、メインコントローラ６６への指令は、収納ケース５９内に設けられた便座装置の操作部６７の操作や、また人体検知センサ及び着座検知センサのいずれか一方又は双方からなる検知センサ６８を介して行うことも可能である。
【００２０】
プレーヤ６１からの出力は、収納ケース５９内に設けられたアンプ６９に入力され、アンプ６９からの出力が前記したスピーカー７０に出力されて、トイレ室５８内に音楽を流すことができる。ここで、収納ケース５９に音楽出力端子７１を設けることで、アンプ６９からの出力を他のスピーカー７２に出力し、このスピーカー７２から音楽を流すことも可能である。
【００２１】
なお、収納ケース５９内には、便座装置の使用方法を音声案内する音声ドライブ７３を予め設けておき、音楽再生中に、音声ドライブ７３から音声信号を出すときは、メインコントローラ６６からの指示により、音楽の音量を落す等の制御を行うことも可能である。このメインコントローラ６６は、前記した機能部１５と実質的に同様の構成である機能部７４の動作も制御している。
【００２２】
本発明の第２の実施の形態に係る便器装置８０について説明するが、これは便器装置５５の音楽用リモコン装置６４が無くなり、プレーヤ８１の操作部８２が、便座装置の収納ケース８３の外側壁に設けられたプレーヤ８１に備えられていること以外は、便器装置５５と実質的に同様のシステムであるため、同一部材には同一の番号を付し、詳しい説明を省略する。
図３に示すように、本発明の第２の実施の形態に係る便器装置８０は、便座装置の収納ケース８３の外側壁に、記録媒体６０に録音された音信号を含む電気信号を取り出し増幅するプレーヤ８１が設けられたシステムである。
この便器装置８０は、収納ケース８３に設けられた人体検知センサや着座検知センサ（図示せず）を介して、プレーヤ８１のオンオフ制御（音楽のスタート及びストップ制御）を行うことが可能である。
なお、音楽の選曲等の操作は、リモコン装置５７または収納ケース８３に設けられた操作部８２で行う。
【００２３】
本発明の第３の実施の形態に係る便器装置８５について説明する。
図４に示すように、本発明の第３の実施の形態に係る便器装置８５は、便器８６に付設された便座装置及びそのリモコン装置８７を備えたトイレ室８８に適用するものであり、便座装置の収納ケース８９の一方側の外側壁に設けられた載置部９０に、トイレ室８８に持ち込んだ記録媒体に録音された音信号を含む電気信号を取り出し増幅するプレーヤ９１を載置可能とするシステムである。
なお、プレーヤ９１及び記録媒体の種類は、便器装置５５と同様のものを用いることができる。
【００２４】
便座装置の収納ケース８９内には、スピーカーが設けられている。また、収納ケース８９の一方側の側壁にはプラグ９２が設けられ、プレーヤ９１からの出力がジャックを介して収納ケース８９内に設けられたアンプに接続され、このアンプからの出力がスピーカーに出力されている。そして、収納ケース８９の他側側壁には、スピーカーから再生された音を収納ケース８９の外部に出すための多数の開口部を備えたカバー９３が設けられている。
なお、プレーヤ９１は、プレーヤ９１が接続された電源コードを、トイレ室８８内に設けられた１００Ｖ電源（図示せず）に差し込み動作させることも、また便座装置の電源と共用にすることも、またはプレーヤ９１に内蔵された電池（図示せず）によって動作させることも可能である。なお、音楽の選曲等の操作は、プレーヤ９１に設けられた操作部によって行う。
【００２５】
以上説明してきたように、第１の実施の形態〜第３の実施の形態においては、音信号を記録しているメディアである記録媒体を挿入するプレーヤ６１，８１，９１が、収納ケース５９，８３，８９の側面に設けられている。そのため、ＣＤ，ＭＤ等記録媒体を、便器５６，８６の後部上面よりも上方且つ側方からプレーヤに対して挿入可能であり、開放した便座や便蓋によって記録媒体の挿入部が隠れることがなく、しかも、便器上部よりも上方から挿入可能であり、使用者が立ったままの状態で簡単に記録媒体をプレーヤへ挿入可能である。
なお、本明細書においては、男子小用のために立つ側を前方とし、収納ケースが固定されいる側を後方とし、前方に立った使用者の左右側を側方とするものであり、陶器製の便器上平面よりも鉛直方向上側を上方とし、便器上平面よりも下側を下方と称するものである。
【００２６】
次に、本発明の第４の実施の形態について説明する。
この第４の実施の形態においては、図５の斜視図に示すように、メディアとしての音楽ＣＤを再生可能なプレーヤ２００は陶器製の大便器本体２０１後部上面に固定された収納ケース２０２の側方に固定されている。この収納ケース２０２には便座２０２ａと便蓋２０２ｂとが回動可能に支持されている。また、この収納ケース２０２内には、前記した第１〜第３の実施の形態と同様に、肛門や女性陰部を温水洗浄する為に電動モータにより進退可能な洗浄ノズル、この洗浄ノズルへ温水を供給するための電気温水加熱器や電磁ポンプ、洗浄後の人体へ向けて温風を吹き出す為の電動ファンと電気ヒータ、大便器本体２０１のボール部内の臭気を排出するための電動ファン、前記便座２０２ａ，便蓋２０２ｂを開閉回動させるための電気モータ，大便器本体２０１へ向けての洗浄水供給のオンオフを行う電磁弁、といった外部から供給された電力によって作動する機能ユニットが収納されている。
なお、収納ケース２０２の側方には、プレーヤ２００の動作を操作するためのスイッチが設けられた操作ユニット部をカバーするサイドカバー２０３が収納ケースと一体的に形成されている。そして、このサイドカバー２０３とプレーヤ２００との上面および側面が面一となることにより、プレーヤ２００と収納ケース２０２との一体感を醸し出している。また、収納ケース２０２の後部左右には一対のスピーカ（図示せず）が設けられており、プレーヤ２００によってピックアップされた音データを発音可能である。
【００２７】
図６に基づいて操作ユニット部の構成について説明する。このサイドカバー２０３の前方には開閉蓋２０４が設けられており、開蓋した内部には操作パネル２０５が設けられている。この操作パネルにはプレーヤ２００の音楽ＣＤを演奏スタートする再生スイッチ２０５ａや演奏停止スイッチ２０５ｂ等が設けられている。また、この操作パネル２０５の上方には、斜め上方を指向した焦電センサ２０６や照度センサ２０７が設けられている。この焦電センサ２０６はトイレルームに入室した使用者の熱（赤外線）を感知することによりトイレルームに入室した使用者を検出するものであり、照度センサ２０７はトイレルームの照度を検出するものであり、何れのセンサも収納ケース２０２の後ろ側に設けられた複数のＬＥＤ集合体からなる間接照明ユニット（図示せず）の自動点灯・自動消灯の制御に用いられる。
【００２８】
プレーヤ２００は収納ケース２０２を大便器本体２０１に固定した後に、その収納ケース２０２に対して固定されるものであり、その固定手順について以下に説明する。
図７の梱包状態図に示すように、工場出荷後の施工現場までの物流形態においては、便座２０２ａ，便蓋２０２ｂを支持した状態で収納ケース２０２が機能部梱包箱２１０に収められており、この機能部梱包箱２１０の中に、プレーヤ２００を収めたプレーヤ梱包箱２１１が同梱されている。
プレーヤ２００はプレーヤ梱包箱２１１を用いて個別梱包することにより、機能部梱包箱２１０よりも耐衝撃性に優れる梱包がなされている。従って、精密機器であるプレーヤを機能部梱包箱２１０に同梱していたとしても、工場出荷後の輸送時にプレーヤ２００が破損することを防ぐことができる。
【００２９】
施工現場では、まず、収納ケース２０２が大便器本体２０１の後部上面に固定される。
次に、図８に示す施工斜視図に示すように、収納ケース２０２の側方であって、この収納ケース２０２と一体に形成されている開閉蓋２０４を含む操作ユニット部の後方にプレーヤ２００の固定作業を行う。
なお、この図８に示すように、プレーヤ２００はＣＤ駆動モータやピックアップ部やこれらの制御ユニット（何れも図示せず）を備えたプレーヤ機能部２２４と、このプレーヤ機能部２２４に装着された音楽ＣＤをカバーするプレーヤ蓋体２２５とから構成されており、このプレーヤ機能部２２４の下方に設けられたプレーヤヒンジ２２６によってプレーヤ蓋体２２５が手動にて回動可能に連結されている。そして、プレーヤ機能部２２４の上面には、プレーヤ蓋体２２５を開放させるスライドスイッチ２２７や、演奏中の曲数やボリューム等を表示する液晶からなる表示部２２８が設けられている。
【００３０】
プレーヤ２００の固定作業においては、まず、プレーヤ２００から伸びる配線の端子Ａ２２１と収納ケース２０２に開口したコネクト孔２０２Ｃから取り出した配線の端子Ｂ２２２とが連結され、その連結された端子Ａ２２１と端子Ｂ２２２とは図９に示すように、プレーヤ機能部２２４に設けられた端子係止部２２９に固定され、プレーヤ２００の収納ケース２０２への固定作業時に邪魔にならないようにする。
この端子Ａ２２１と端子Ｂ２２２との連結によって、収納ケース２０２からプレーヤ２００を駆動するための電力を供給可能であると共に、収納ケース２０２からの動作指令を伝達することが出来る。この場合の動作指令としては、操作パネル２０５または図示しないリモコン装置を操作した場合に発信される信号や図示しない人体検知手段からの信号に基づく音楽ＣＤ再生・停止指令などが挙げられる。
なお、この図９のプレーヤ機能部の内部機構を省略した断面図に示すように、端子係止部２２９の上方には端子庇２３０が形成されており、プレーヤ２００が収納ケース２０２に固定された後に、上方の固定隙間から侵入した水が端子Ａ２２１と端子Ｂ２２２とに掛かることを防ぐものであり、また防水シート２３１によって、プレーヤ機能部２２４の内部への水侵入が防止されるものである。
【００３１】
次に、プレーヤ２００と収納ケース２０２との固定構造について図１０、図１１を用いて説明する。
図１０は後方から見たプレーヤ２００と収納ケース２０２との固定構造を示す図であり、プレーヤ２００の後方には収納ケース２０２側へ向けた係合突起２３２が設けられており、この係合突起２３２が収納ケースの側方かた突出して形成された固定リブ２３３の係合凹部２３４に嵌まり込むことにより、プレーヤ２００は収納ケース２０２に仮固定される。
【００３２】
そして、図１１の前方から見たプレーヤ２００と収納ケース２０２との固定構造に示すように、ネジＡ２３５をネジ穴Ａ２３６に挿入して螺合することによって、プレーヤ２００と収納ケース２０２とが固定される。
【００３３】
また、ネジＢ２３８をネジ穴Ｂ２３９に挿入して螺合することによって、プレーヤ２００と収納ケース２０２とが固定される。
【００３４】
以上の、図１０、図１１に示す３箇所の固定構造によって、プレーヤ２００は収納ケース２０２に対して固定される。
なお、この図１１においては操作ユニット部のサイドカバー２０３が取り外されている状態を示しており、サイドカバー２０３は固定作業後に操作ユニット部に設けられているボス２３７へ嵌着されるものである。
【００３５】
図１２はスライドスイッチ２２７が操作されることにより、プレーヤ蓋体２２５が開放された状態を示す図である。この図に示すように、スライドスイッチ２２７を後方（紙面向こう側）にスライドすることにより、プレーヤ蓋体２２５に設けられたロック爪２２５ａとプレーヤ機能部２２４内蔵のロック機構（図示せず）との係合が解除され、プレーヤヒンジ２２６に内蔵されているはダンパ機構（図示せず）によって、所定角度（閉状態から略６０度）まで緩やかに回動する。この状態で音楽ＣＤを縦にしてプレーヤ機能部２２４にセットした後、使用者がプレーヤ蓋体２２５を回動してプレーヤ機能部２２４に押し付けることにより、ロック爪２２５ａがロック機構により係合されその状態が保持される。
【００３６】
この図に示すように、プレーヤ２００の下方一部であるプレーヤヒンジ２２６近傍は、一点鎖線で示す大便器本体２０１の上面２０１ａよりも下方に位置するものではあるが、音楽ＣＤのプレーヤ２００への脱着は、大便器本体２０１の後部の上面２０１ａよりも上方であり、且つ、側面２０１ｂよりも側方から行うことが可能であり、便蓋２０２ｂが開蓋（起立）していても邪魔にならず、また、それほど腰を屈める必要も無く、しかも、音楽ＣＤの挿入空間の大部分が大便器本体２０１の上面２０１ａよりも上方であるため、大便器本体２０１の使用時や清掃時の飛散水が掛かかり難いものである。
【００３７】
また、スライドスイッチ２２７を後方へスライドするという動作は便器前方に立った使用者からすればスライドスイッチ２２７を押す動作であるため操作しやすく、また、音楽ＣＤを縦にして着脱可能である為、平面方向のスペースが狭いトイレルームであっても操作し易いものである。
なお、ロック機構の係合が解除されて所定位置まで緩やかに回動したプレーヤ蓋体２２５に対し、過大に回動される外力が働いた場合には、プレーヤ蓋体２２５はプレーヤ機能部２２４から破損することなく脱落するように構成しておくのが望ましい。
【００３８】
次に、プレーヤ２００におけるプレーヤ機能部２２４とプレーヤ蓋体２２５との水侵入防止のためのシール構造について説明する。
図１３はシール構造を説明するための図であり、図１３（ａ）の分解斜視図に示すように、プレーヤ機能部２２４の側面周囲にはパッキン嵌入溝２４２が設けられており、そこに防水パッキン２４０が嵌め込まれている。
図１３（ｂ）は防水パッキン２４０によるシール状態を説明するための断面図であり、防水パッキン２４０は二股状の嵌入部２４０ａがパッキン嵌入溝２４２に嵌入しており、その状態で二股状で各々が先細りのシール部２４０ｂがプレーヤ機能部２２４から突出しており、このシール部２４０ｂに対してプレーヤ蓋体２２５に設けられた当接突起２４１が当接することにより、この当接突起２４１の先端がシール部２４０ｂの二股の間に入り込むように構成されている。
【００３９】
従ってプレーヤ機能部２２４とプレーヤ蓋体２２５とは全周に亘ってシールが形成されることになり、音楽ＣＤが装着されるプレーヤ２００内部に水が侵入することが防止でき、特に、当接突起２４１の両側において二股状のシール部２４０ｂと当接して二重のシール部が形成されるため、より一層防水効果が高いものである。
【００４０】
次に、公共の場所に設けられる場合を考慮して、プレーヤ２００内部の音楽ＣＤの盗難や悪戯を防止する為の機構について図１４〜図１６に基づいて説明する。
図１４に示すようにプレーヤ蓋体２２５を挿通するネジ穴Ｌ２５１を設け、ネジＬ２５０によって、プレーヤ蓋体２２５をプレーヤ機能部２２４に対して固定することによって、プレーヤ蓋体２２５の開放を禁止するものである。
【００４１】
図１５はスライドスイッチ２２７の後方にロック部材２５３を固定するものであり、このロック部材２５３に設けられたネジ穴Ｍ２５４にネジＭ２５２を挿通してロック部材２５３をプレーヤ機能部２２４に固定することにより、スライドスイッチ２２７の後方への移動を禁止することにより、プレーヤ蓋体２２５の開放を禁止するものである。
【００４２】
図１６はプレーヤ２００の底面に断面Ｌ字形状の回転防止板２５６を固定するものであり、この回転防止板２５６に設けられたネジ穴Ｎ２５７にネジＮ２５５を挿通して回転防止板２５６をプレーヤヒンジ２２６に固定することにより、プレーヤ蓋体２２５の開放を禁止するものである。
以上の図１４〜図１６に示したように、ネジを取り外さない限りプレーヤ蓋体２２５が開放できないようにするこで、プレーヤ２００内部の音楽ＣＤの盗難や悪戯を防止することが可能となる。
【００４３】
なお、以上の第４の実施の形態において、プレーヤが不要な場合には、図１７に示すようにダミー蓋２６０を上述したプレーヤ２００と同様の方法にて収納ケースに対して固定することにより、収納ケース２０２としてはプレーヤ２００専用とする必要を無くすことができる。
【００４４】
また、以上、第４の実施の形態においては、プレーヤ２００としては音楽ＣＤをメディアとする場合について説明してきたが、ＭＤやメモリー素子などをメディアとするプレーヤであっても構わなものであり、プレーヤ２００の操作は、操作パネル２０５に設けられた操作スイッチだけでなく、リモートコントローラによって操作することも可能である。
【００４５】
次に、第５の実施の形態について図１８に基づいて説明する。
この図１８ではプレーヤ３００のプレーヤ蓋体を取り外した状態を示すものであるが、この第５の実施の形態においては、収納ケース２０２の側方には円弧状の庇部３１０が形成されており、この庇部３１０の下側にプレーヤ３００が固定される。但し、庇部３１０のスライドスイッチ３２０に対応する部分は切り欠かれており、スライドスイッチ３２０は上方から操作可能である。
【００４６】
このようにプレーヤ３００の上方を収納ケース２０２と一体の庇部３１０で囲むことにより、この庇部３１０に使用者が手をついた場合であっても、その荷重が収納ケース２０２に分散するため、プレーヤ３００が収納ケース２０２から外れてしまうことが防止される。
【００４７】
第６の実施の形態について図１９に基づいて説明する。
この図１９では、プレーヤ４００内部のＣＤ駆動ユニット等の配置を極力上方とし、且つ、プレーヤ蓋体を開閉するためのプレーヤヒンジをコンパクト化してプレーヤ４００の下面に突出しないようにすることにより、プレーヤ４００の下面が大便器本体２０１の上面２０１ａとほぼ同一高さとなるように構成している。
【００４８】
このようにプレーヤ４００の底面が収納ケース２０２と略面一であることにより、収納ケース２０２を大便器本体２０１から取り外して床置きした場合であっても、プレーヤ４００の底面に荷重が集中して破損してしまうことを防止することができる。
【００４９】
第７の実施の形態について図２０に基づいて説明する。
この図２０では、第７の実施の形態においては、収納ケース２０２の内部にプレーヤ５００が収納されており、この収納ケース２０２の側方から音楽ＣＤをセットするためのトレー５１０が進退可能に構成されている。
【００５０】
これら、第５〜第７の実施の形態においても、音楽ＣＤのプレーヤ３００，４００，５００への脱着は、大便器本体２０１の後部の上面よりも上方であり、且つ、側面よりも側方から行うことが可能であり、便蓋が開蓋（起立）していても邪魔にならず、また、それほど腰を屈める必要も無く行うことが出来る。
【図面の簡単な説明】
【００５１】
【図１】本発明の第１の実施の形態に係る便器装置の説明図である。
【図２】本発明の第２の実施の形態に係る便器装置の内部の説明図である。
【図３】本発明の第２の実施の形態に係る便器装置の説明図である。
【図４】本発明の第３の実施の形態に係る便器装置の説明図である。
【図５】本発明の第４の実施の形態に係る便器装置の概略図である。
【図６】第４の実施の形態に係る便器装置の操作ユニットの説明図。
【図７】第４の実施の形態に係る便器装置の梱包状態図。
【図８】第４の実施の形態に係る便器装置の施工斜視図。
【図９】第４の実施の形態に係る便器装置のプレーヤ機能部の内部機構を省略した断面図。
【図１０】第４の実施の形態に係る便器装置の後方から見たプレーヤと収納ケースとの固定構造。
【図１１】第４の実施の形態に係る便器装置の前方から見たプレーヤと収納ケースとの固定構造。
【図１２】第４の実施の形態に係る便器装置のプレーヤ蓋体が開放された状態を示す図。
【図１３】第４の実施の形態に係る便器装置のシール構造説明図。
【図１４】第４の実施の形態に係る便器装置のプレーヤ蓋体の開放禁止機構（１）。
【図１５】第４の実施の形態に係る便器装置のプレーヤ蓋体の開放禁止機構（２）。
【図１６】第４の実施の形態に係る便器装置のプレーヤ蓋体の開放禁止機構（３）。
【図１７】第４の実施の形態に係る便器装置のプレーヤが不要な場合の対応図。
【図１８】本発明の第５の実施の形態に係る便器装置の概略図である。
【図１９】本発明の第６の実施の形態に係る便器装置の概略図である。
【図２０】本発明の第７の実施の形態に係る便器装置の概略図である。
【符号の説明】
【００５２】
５５…便器装置、５６…便器、
５７…リモコン装置、５８…トイレ室、５９…収納ケース、
６０…記録媒体、６１…プレーヤ、６２…カバー、
６３…リモコン受光部、６４…音楽用リモコン装置、６５…音楽ソフト、
６６…メインコントローラ、６７…操作部、６８…検知センサ、
６９…アンプ、７０…スピーカー、７１…音楽出力端子、
７２…スピーカー、７３…音声ドライブ、７４…機能部、
８０…便器装置、８１…プレーヤ、８２…操作部、
８３…収納ケース、８５…便器装置、８６…便器、
８７…リモコン装置、８８…トイレ室、８９…収納ケース、
９０…載置部、９１…プレーヤ、９２…プラグ、９３…カバー、
２００，３００，４００，５００…プレーヤ、
２０１…大便器本体、２０１ａ…上面、２０１ｂ…側面、２０２…収納ケース
２０２ａ…便座、２０２ｂ…便蓋、２０２ｃ…コネクト孔
２０３…サイドカバー、２０４…開閉蓋、
２０５…操作パネル、２０５ａ…再生スイッチ、２０５ｂ…停止スイッチ、
２０６…焦電センサ、２０７…照度センサ
２１０…機能部梱包箱、２１１…プレーヤ梱包箱、
２２１…端子Ａ、２２２…端子Ｂ
２２４…プレーヤ機能部、２２５…プレーヤ蓋体、２２５ａ…ロック爪
２２６…プレーヤヒンジ、２２７，３２０…スライドスイッチ、
２２８…表示部、２２９…端子係止部、
２３０…端子庇、２３１…防水シート、
２３２…係合突起、２３３…固定リブ、２３４…係合凹部、
２３５…ネジＡ、２３６…ネジ穴Ａ、２３７…ボス、
２３８…ネジＢ、２３９…ネジ穴Ｂ、
２４０…防水パッキン、２４０ａ…嵌入部、２４０ｂ…シール部、
２４１…当接突起、２４２…パッキン嵌入溝、２５０…ネジＬ、２５１…ネジ穴Ｌ、
２５２…ネジＭ、２５３…ロック部材、２５４…ネジ穴Ｍ、
２５５…ネジＮ、２５６…回動防止板、２５７…ネジ穴Ｎ、
２６０…ダミー蓋、３１０…庇部、５１０…トレー
【図１】
2005098002.tif 000003
【図２】
2005098002.tif 000004
【図３】
2005098002.tif 000005
【図４】
2005098002.tif 000006
【図５】
2005098002.tif 000007
【図６】
2005098002.tif 000008
【図７】
2005098002.tif 000009
【図８】
2005098002.tif 000010
【図９】
2005098002.tif 000011
【図１０】
2005098002.tif 000012
【図１１】
2005098002.tif 000013
【図１２】
2005098002.tif 000014
【図１３】
2005098002.tif 000015
【図１４】
2005098002.tif 000016
【図１５】
2005098002.tif 000017
【図１６】
2005098002.tif 000018
【図１７】
2005098002.tif 000019
【図１８】
2005098002.tif 000020
【図１９】
2005098002.tif 000021
【図２０】
2005098002.tif 000022